(57)【要約】【課題】  簡単な構造で、底部からの改ざん防止効果を有し、使用後は簡単に折り畳むことができる包装用箱を提供する。【解決手段】  底部分は、一側面１８に連続し底部分の一部を覆う底蓋片７０と、底蓋片７０が設けられた側面１８に対面する側面１４に連続し底部分のほぼ全面を、底蓋片７０の箱体内側面に沿って閉鎖する内底片４０と、箱体形成片１２の各側面から延出し底蓋片７０の先端縁部の両端部付近を箱体外側面から各々押さえる一対のフラップ５４，８２を備える。底蓋片７０の先端部の略中心には、この底蓋片が一部切除されて形成されたえぐり部７４が設けられ、えぐり部７４の近傍には、底蓋片７０の先端部に連通する破断線７６で設けられた改ざん防止用切刃部７６を備える。【選択図】        図１
2005313955.tif 000002
【特許請求の範囲】
【請求項１】
一枚のブランクシートから一体的に打ち抜かれた箱体形成片から成り、この箱体形成片には、互いに連接された側面と、前記箱体形成片が組立状態のとき前記連接された側面で形成される箱体の一開口端部を閉鎖する底部分が設けられ、前記底部分は、前記一側面に連続し前記底部分の一部を覆う底蓋片と、前記底蓋片が設けられた前記側面に対面する側面に連続し前記底部分のほぼ全面を前記底蓋片の箱体内側面に沿って閉鎖する内底片と、前記箱体形成片の各側面から延出し前記底蓋片の先端部の両端部付近を箱体外側面から各々押さえる一対のフラップと、前記底蓋片の先端部の略中心に形成されこの底蓋片の一部を切除したえぐり部と、上記えぐり部の近傍に設けられこの底蓋片の先端部に連通する破断線で設けられた改ざん防止用切刃部が設けられていることを特徴とする包装用箱。
【請求項２】
前記内底片には、前記底蓋片が設けられた前記側面の箱体内側面に沿って折り曲げられるロック片が設けられ、前記底蓋片が設けられた前記側面には前記ロック片が係止される折返片が連続して設けられ、前記折返片は前記側面の箱体内側面に折り返されて前記ロック片の先端部が係止されることを特徴とする請求項１記載の包装用箱。
【請求項３】
前記改ざん防止用切刃部は、複数本が設けられていることを特徴とする請求項１記載の包装用箱。
【請求項４】
前記一対のフラップは、前記底蓋片または前記内底片に糊付けられる糊付部と、前記糊付部の周囲を囲む改ざん防止用切込線が設けられ、前記一対のフラップの一方は前記底蓋片の前記えぐり部を挟んで前記改ざん防止用切刃部と反対側に糊付けされ、前記一対のフラップの他方は前記内底片の前記改ざん防止用切刃部側に糊付けされていることを特徴とする請求項１記載の包装用箱。
【発明の詳細な説明】
【技術分野】
【０００１】
この発明は、薬剤や食品等の商品を収容し改ざん防止機能と折り畳み機能を備えた包装用箱に関する。
【背景技術】
【０００２】
従来、保管の際に管理を必要とするような、劇薬や麻薬成分が含まれている医薬品などの商品を包装する包装用箱は、改ざん防止のために、上蓋片と側面が改ざん防止機能を有するテープで封止されている。このようなテープは、開封するときテープの印刷の一部が包装用箱に転写され、未開封の状態と区別することができる。しかし、テープが張られていない底蓋片から開封すると、開封したことが判らないものである。また、底蓋片からの改ざんを防ぐために底蓋片にも改ざん防止用テープを貼ると、コストがかかり、工数が増えるという問題がある。
【０００３】
また改ざんを防止するために、包装用箱の上蓋片の差込部と箱側面を糊付けする方法がある。この方法は、開封するときに上蓋片の差込部と側面にのりを剥がした跡が残り、未開封の状態と容易に区別することができる。しかし、開封後にきれいに糊付けすると、開封した跡が残らず、改ざんしたかどうかの判断が難しいという欠点がある。
【０００４】
そこで、簡単な構造で底部からの改ざんを確実に防止する包装用箱として、特許文献1に開示されている包装用箱があった。これは、一枚のブランクシートから一体的に打ち抜かれた箱体形成片から成り、箱体形成片には、互いに連接された側面で形成される箱体の開口端部を閉鎖する一対の蓋片が備えられている。そして、一側面に連続してこの側面に対向する側面と一対の蓋片にかけて内壁部に沿ってつなぎ目が無く連続して設けられた内箱片が設けられている。
【特許文献１】特開２００３−２９１９４８号公報
【特許文献２】特開２００１−１４６２２５号公報
【発明の開示】
【発明が解決しようとする課題】
【０００５】
上記従来の特許文献1に開示されている技術の場合、底部からの改ざん防止効果を有しているが、包装用箱を使用後に折り畳みやすくする構造は設けられていないものである。また、特許文献２に開示されているような、ワンタッチ式の組み立てと底部からの不正開封防止機能を備えた包装用箱も提案されている。しかしながら、この包装用箱の場合も箱底部を丁寧に開封することにより、痕跡を残すことなく改ざんが可能となるものであった。従って、高い改ざん防止効果を有するとともに、廃棄時に折り畳みやすいという相反する機能を備えた包装用箱が求められていた。
【０００６】
この発明は、前記従来の技術の問題点に鑑みてなされたものであり、簡単な構造で、底部からの改ざん防止効果を有し、使用後は簡単に折り畳むことができる包装用箱を提供することを目的とする。
【課題を解決するための手段】
【０００７】
本発明は、一枚のブランクシートから一体的に打ち抜かれた箱体形成片から成る包装用箱であり、この箱体形成片には、互いに連接された側面と、前記箱体形成片が組立状態のとき前記連接された側面で形成される箱体の一開口端部を閉鎖する底部分が設けられている。前記底部分は、前記一側面に連続し前記底部分の一部を覆う底蓋片と、前記底蓋片が設けられた前記側面に対面する側面に連続し前記底部分のほぼ全面を前記底蓋片の箱体内側面に沿って閉鎖する内底片と、前記箱体形成片の各側面から延出し前記底蓋片の先端部の両端部付近を箱体外側面から各々押さえる一対のフラップが設けられた包装用箱である。前記底蓋片の先端部の略中心には、この底蓋片が一部切除されて形成されたえぐり部が設けられ、上記えぐり部の近傍には、この底蓋片の先端部に連通する破断線で設けられた改ざん防止用切刃部が設けられている。
【０００８】
また、前記内底片には、前記底蓋片が設けられた前記側面の箱体内側面に沿って折り曲げられるロック片が設けられ、前記底蓋片が設けられた前記側面には前記ロック片が係止される折返片が連続して設けられ、前記折返片は前記側面の箱体内側面に折り返されて前記ロック片の先端部が係止される。
【０００９】
また、前記改ざん防止用切刃部は、所定長さの切込線が所定長さの連結部分を有して断続して設けられたものであり、底蓋片の先端部に対して直角に、そして互いに平行に複数本、例えば３本設けられている。複数本の改ざん防止用切刃部のうち、前記えぐり部に近いものは一番短く、えぐり部から遠ざかるにつれて徐々に長く形成されている。
【００１０】
また、前記一対のフラップは、前記底蓋片または前記内底片に糊付けられる糊付部と、前記糊付部の周囲を囲む改ざん防止用切込線が設けられている。前記一対のフラップの一方は、前記底蓋片の前記えぐり部を挟んで前記改ざん防止用切刃部と反対側に糊付けされ、前記一対のフラップの他方は前記内底片の前記改ざん防止用切刃部側に糊付けされている。
【発明の効果】
【００１１】
本発明の包装用箱は、簡単な構造により、収容物の改ざんを防ぐことができ、改ざんがあった場合には確実に痕跡が残り改ざんを知ることができる。そして、使用後は簡単に折り畳んで容易に廃棄することができる。
【発明を実施するための最良の形態】
【００１２】
以下、この発明の実施形態について図面に基づいて説明する。図１〜図３はこの発明の一実施形態の包装用箱１０を示すもので、包装用箱１０は、厚紙などの一枚のブランクシートを打ち抜いて形成された箱体形成片１２を組み立てて設けられている。
【００１３】
箱体形成片１２は、側面１４，１６，１８，２０が、互いに平行に連接して形成されている。さらに側面１４の側縁部には、包装用箱１０の組立状態で側面２０の内側に糊付けされる糊付片２２が設けられている。そして糊付片２２と側面１４，１６，１８，２０とは、各々折罫線２４，２６，２８，３０で区切られている。
【００１４】
側面１４の、隣接する側面１６の連接方向に対して平行に位置する一方の端部には、上蓋片３２が折罫線３４で区切られて設けられている。そして、上蓋片３２には、さらに組立状態で側面１８の内側に差し込まれる差込片３５が折罫線３６で区切られて設けられている。折罫線３６の２箇所には、折罫線３６を直角に折り曲げたときに上蓋片３２から側方へ突出する小形の突起を形成する略コ字形の切込線３８が設けられている。
【００１５】
側面１４の、折罫線３４と反対側の端部には、内底片４０が折罫線４２で区切られて設けられている。内底片４０は、上蓋片３２とほぼ同じ大きさであり、包装用箱１０を組み立てたときに底部分のほぼ全面を覆う大きさに形成されている。内底片４０の、折罫線２６の延長上に位置する辺３６ａは、内底片４０の先端部に向かうに従い隣接する側面１６から離れるように傾斜し、全体として内底片４０が台形状に形成されている。
【００１６】
そして、内底片４０の先端部には、組立状態で側面１８の箱体内側面に重ねられるロック片４４が折罫線４６で区切られて設けられている。折罫線４６には、折罫線４６を折り曲げやすくする切込線４８が数箇所に設けられている。ロック片４４は、側面１６側の端部が内底片４０の先端部の途中に位置し、内底片４０よりも短く設けられている。
【００１７】
側面１６の、側面１４の折罫線３４に隣接する端部には、ほぼ矩形の上フラップ５０が折罫線５２で区切られて設けられている。上フラップ５０の、隣接する側面１８側の角部付近が、曲線で切り取られた形状である。側面１６の、折罫線５２と反対側の端部には、三角形状の下フラップ５４が折罫線５６で区切られて設けられている。下フラップ５４の、内底片４０側の傾斜した側縁部には、変形した五角形の糊付片５８が折罫線６０を介して設けられている。糊付片５８の中央には、部分的に繋がった円形の切込線６２が設けられ、切込線６２の内側は糊付部６４となる。
【００１８】
側面１８の、側面１６の折罫線５２に隣接する端部には、ほぼ矩形の折返片６６が折罫線６８で区切られて設けられている。折返片６６の、折罫線６８に対して直角方向の幅は、側面１８の折罫線６８に対して直角方向の幅から側面１４に設けられたロック片４４の折罫線４６に対して直角方向の幅を、差し引いた長さより僅かに短い値に形成されている。
【００１９】
側面１８の、折罫線６８と反対側の端部には、底蓋片７０が折罫線７２で区切られて設けられている。底蓋片７０の、折罫線６８に対して直角方向の幅は、内底片４０の半分程度に形成されている。底蓋片７０の、折罫線３０の延長上に位置する辺７０ａは底蓋片７０の先端縁部７０ｂに向かうに従い隣接する側面２０から離れるように傾斜して底蓋片７０は台形状に形成されている。
【００２０】
底蓋片７０の、先端縁部７０ｂのほぼ中心には、底蓋片７０の中央側に向かってＵ字形に切り欠かれたえぐり部７４が設けられている。底蓋片７０の先端縁部７０ｂには、えぐり部７４よりも下フラップ５４側に、改ざん防止用切刃７６が設けられている。改ざん防止用切刃７６は、所定長さの切込線が所定長さの連結部分を有して断続して設けられたものであり、底蓋片７０の先端縁部７０ｂに連通し、先端縁部７０ｂに対して直角に、そして互いに平行に３本設けられている。３本の改ざん防止用切刃部７６のうち、えぐり部７４に近い列は一番短く、次が中心でえぐり部７４に遠い列が一番長く形成されている。
【００２１】
側面２０の、側面１８の折罫線６８に隣接する端部には、ほぼ矩形の上フラップ７８が折罫線８０で区切られて設けられている。上フラップ７８の、隣接する側面１８側の角部付近が、曲線で切り取られた形状である。側面２０の、折罫線８０と反対側の端部には、三角形状の下フラップ８２が折罫線８４で区切られて設けられている。下フラップ８２の、底蓋片７０側の傾斜した側縁部には、変形した五角形の糊付片８６が折罫線８８を介して設けられている。糊付片８６の中央には、部分的に破断した円形の改ざん防止用切込線９０が設けられ、改ざん防止用切込線９０の内側は糊付部９２となる。
【００２２】
次にこの実施形態の包装用箱１０の組立方法について説明する。なお、ここでは図１がこの包装用箱１０の箱体形成片１２の表面側を見たものであり、図２において表面側が凸になる折り方を正折り、そして表面側が凹になる折り方を逆折りと称する。
【００２３】
まず、折返片６６の裏面に、糊９４を塗布する。次に折罫線６８を正折りして側面１８の裏面に折返片６６を糊付けする。次に、糊付片５８の糊付部６４と、糊付片８６の糊付部９２の裏面に、糊９６，９８を各々塗布し、折罫線５６，８４で下フラップ５４，８２を正折りしながら折罫線６０，８８で糊付片５８，８６を逆折する。折罫線４２で内底片４０を正折りし、折罫線７２で底蓋片７０を正折りする。次に糊付片２２の、表面に糊１００を塗布し、折罫線２６，３０を正折りする。このとき糊付片２２が、二つ折りされた側面２０と下フラップ８２の間に入るようにセットし、糊付片２２の表面を側面２０の裏面に糊付けする。同時に糊付片５８の糊付部６４裏面を内底片４０の表面に、糊付片８６の糊付部９２裏面を底蓋片７０の表面に、糊付けする。
【００２４】
そして、折罫線２４，２６，２８，３０を各々９０°に正折りして四角形の箱体にする。このとき、二つ折りされていた折罫線４２，５６，７２，８４は９０°に開き、内底片４０は側面１６側が切り欠かかれているため側面１６に当接することなく円滑に移動する。このとき、底蓋片７０と内底片４０は、一対の下フラップ５４，８２に、箱体外側から押さえられ、底部分を形成する。さらに内底片４０のロック片４４を折罫線４６で９０°に正折りして、内底片４０を底蓋片７０の裏面に、ロック片４４を側面１８の裏面に重ね合わせて包装用箱１０の底部分が出来上がる。ロック片４４の端部は、側面１８の裏面に糊付けされた折返片６６の端縁部にロックされ、不用意に上方に戻ることが無く、確実に底部分の形状を保つ。
【００２５】
この状態で商品を中に入れ、折罫線５２，８０で上フラップ５０，７８を正折りし、その後折罫線３４で上蓋片３２を正折りし、その後、折罫線３６を正折りして差込片３５を側面１８の内側に差し込む。上蓋片３２には折罫線３６上の切込線３８によって突部が形成され、この突部が上蓋片３２を閉じたときに側面１８の折罫線６８で形成される縁部に当接して上蓋片３２が位置決めされる。上蓋片３２と側面１８を、例えば改ざん防止用のテープで止めて、改ざんを防止する。
【００２６】
商品が入った包装用箱１０を、底部分から開封しようと底蓋片７０を外側に開くように力を加えると、図２に示すように、底蓋片７０の改ざん防止用切刃７６付近に力が加えられて断続する連結部分が破断され、開封した痕跡が残る。改ざん防止用切刃７６は３本設けられ、いずれかが破断されて確実に痕跡が残る。また、底蓋片７０の内側には、底部分のほぼ全面を覆う内底片４０が折返片６６にロックされて設けられているため、商品を底部分から取り出せない構造となっている。また、糊付部６４を内底片４０から剥がすように力を加えると糊付部６４周囲の切込線６２の連結部分が破断され、開封した痕跡が残る。同様に糊付部９２を底蓋片７０から剥がすように力を加えると糊付部９２周囲の切込線９０の連結部分が破断され、開封した痕跡が残る。このことからも、改ざん防止効果がある。
【００２７】
商品の使用後に包装用箱１０を廃棄するため等により折り畳むときは、図３に示すように底蓋片７０のえぐり部７４の内側から内底片４０を箱体内側に向かって押す。すると、内底片４０の当接片４４は側面１８に糊付けられた折返片６６を乗り越えてロックが解除されて底部分が外され、折罫線２６，３０で折り畳まれて平坦となり、廃棄しやすい状態となる。
【００２８】
この実施形態の包装用箱１０によれば、簡単な構造により確実に収容物の改ざんを防ぐことができる。即ち、底部分から改ざんしようとすると、改ざん防止用切刃部７６と改ざん防止用切込線６２，９０の連結部分が破断されて、改ざんの痕跡を残すことができる。また、底蓋片７０の内側には、底部分のほぼ全面を覆う内底片４０が折返片６６にロックされて設けられているため、容易に商品を底部分から取り出せない構造となっている。改ざん防止用切刃７６は包装用箱１０の表面に設けられているため、改ざんや抜き取りなどのいたずら行為を抑える抑止効果もある。
【００２９】
なお、この発明の包装用箱は、改ざん防止用切刃部の本数や改ざん防止用切込線と連結部分の間隔は、ブランクシートの強度等に合わせて設定することができる。各側面や上蓋片等の大きさは、中に入れる商品に合わせて適宜変更可能である。底蓋片のえぐり部と改ざん防止用切刃の位置は逆でもよく、またこの発明の箱体形成片の底部分の構造を上蓋部分等ほかの位置に設けても良い。
【図面の簡単な説明】
【００３０】
【図１】この発明の一実施形態の包装用箱の展開図である。
【図２】この実施形態の包装用箱の底部の斜視図である。
【図３】この実施形態の包装用箱の底部の斜視図である。
【符号の説明】
【００３１】
１０  包装用箱
１２  箱体形成片
１４，１６，１８，２０  側面
２２，５８，８６  糊付片
３２  上蓋片
３５  差込片
４０  内底片
４４  ロック片
５０，７８  上フラップ
５４，８２  下フラップ
６２，９０  改ざん防止用切込線
６４，９２  糊付部
６６  折返片
７０  底蓋片
７４  えぐり部
７６  改ざん防止用切刃部
９４，９６，９８，１００  糊
【図１】
2005313955.tif 000003
【図２】
2005313955.tif 000004
【図３】
2005313955.tif 000005